(57)【要約】【課題】  取り替え作業に伴う眼鏡ユーザーの負担が少なく、ユーザー自らが手軽に且つ安価に取り替え可能である眼鏡フレーム用テンプルを提供する。【解決手段】  耳掛部材１１０，２１０と芯金部材１２０，２２０とを備えた眼鏡フレーム用テンプル２Ａ，２Ｂにおいて、耳掛部材１１０，２１０は、内側面１１０ａ，２２０ａに設けられた第１開口部１１１ａ，２１１ａを有する第１長穴１１１，２１１と、外側面１１０ｂ，２１０ｂに設けられた第２開口部１１２ａ，２１２ａを有する第２長穴１１２，２１２とを備え、芯金部材１２０，２２０は、長穴１１１，２１１に内挿される第１芯金部１２１，２２１と、長穴１１２，２１２に内挿される第２芯金部１２２，２２２と、これらを連結する連結部１２３，２２３とを備えている。【選択図】  図１４
2006126442.tif 000002
【特許請求の範囲】
【請求項１】
耳掛部材と芯金部材とを備えた眼鏡フレーム用テンプルであって、
前記耳掛部材は、基端部側の内側面に設けられた第１開口部に連通し、該第１開口部から内部に先端部側に向けて軸方向に延びるように形成された第１長穴と、前記第１開口部に対して先端部側に離間した位置の外側面に設けられた第２開口部に連通し、該第２開口部から内部に先端部側に向けて軸方向に延びるように形成された第２長穴とを備え、
前記芯金部材は、前記第１長穴に内挿される第１芯金部と、前記第２長穴に内挿される第２芯金部と、前記第１芯金部と前記第２芯金部とを連結する連結部とを備えることを特徴とする眼鏡フレーム用テンプル。
【発明の詳細な説明】
【技術分野】
【０００１】
本発明は、眼鏡フレーム用テンプルに関する。
【背景技術】
【０００２】
眼鏡フレームは、前枠、テンプル、丁番等のフレーム部材が連結されて構成されている。この眼鏡フレームを構成する部材の中でも、ユーザーの皮膚に直接接触するテンプルは、使用に伴って劣化し易いため、比較的取り替える必要性の高い部材である。また、近年の眼鏡フレームに対するファッション性、デザイン性等の装飾機能重視の傾向に鑑みれば、予め用意された各種の装飾されたテンプルの中からＴＰＯ（時（Time）、所（Place）、場合（Occasion））に併せて選択された好みのテンプルに取り替えることも考えられる。
【０００３】
眼鏡フレームを構成する従来のテンプルとして、プラスチック製の耳掛部材に金属製の芯金を内挿したテンプル、所謂プラスチックテンプルと呼ばれるもの（以下、プラスチックテンプルという）や、主要部が金属で形成されていて先端部にプラスチック製の先セルが取り付けられたテンプル、所謂メタルテンプルと呼ばれるもの（以下、メタルテンプルという）が知られている。
【発明の開示】
【発明が解決しようとする課題】
【０００４】
ところが、前記したような従来の眼鏡フレームでは、ユーザー自らがテンプルを取り替えることは困難であり、またテンプルを構成する部材の一部、例えば、テンプルを構成する部材のうち特に劣化し易い部材のみをユーザー自らが取り替えることも困難である。いずれにしても店舗に足を運んで取り替えを依頼する必要がある。
【０００５】
また、店舗に足を運んで取り替えを依頼する場合であっても、テンプルを構成する部材の一部について、例えば、プラスチックテンプルを構成する耳掛部材のみを取り替えることはできず、テンプル全体を取り替える必要があるため、コストが掛かってしまう。
【０００６】
本発明は、斯かる従来技術の問題点を解決するべくなされたものであり、取り替え作業に伴う眼鏡ユーザーの負担が少なく、ユーザー自らが手軽に且つ安価に取り替え可能である眼鏡フレーム用テンプルを提供することを課題とする。
【課題を解決するための手段】
【０００７】
前記課題を解決するべく、本発明は、耳掛部材と芯金部材とを備えた眼鏡フレーム用テンプルであって、前記耳掛部材は、基端部側の内側面に設けられた第１開口部に連通し、該第１開口部から内部に先端部側に向けて軸方向に延びるように形成された第１長穴と、前記第１開口部に対して先端部側に離間した位置の外側面に設けられた第２開口部に連通し、該第２開口部から内部に先端部側に向けて軸方向に延びるように形成された第２長穴とを備え、前記芯金部材は、前記第１長穴に内挿される第１芯金部と、前記第２長穴に内挿される第２芯金部と、前記第１芯金部と前記第２芯金部とを連結する連結部とを備えることを特徴とする眼鏡フレーム用テンプルを提供するものである。
【０００８】
本発明の眼鏡フレーム用テンプルは、所謂プラスチックテンプルタイプの如く構成されていてもよいし、所謂メタルテンプルタイプの如く構成されていてもよい。後者のように所謂メタルテンプルタイプの如く構成される場合、前記耳掛部材は先セルを構成し得る。なお、本発明の眼鏡フレーム用テンプルにおいて「基端部」とは眼鏡フレームを構成した場合のレンズを保持する前枠側の端部をいい、「先端部」とは前記前枠側とは反対側の端部をいう。
【０００９】
本発明に係る眼鏡フレーム用テンプルでは、前記耳掛部材が前記芯金部材に取り付けられる際には、前記芯金部材における前記第２芯金部が前記耳掛部材における前記第２長穴に、前記第１開口部に対して先端部側に離間した位置の外側面に設けられた前記第２開口部から先端部側に向けて挿入されると共に、前記芯金部材における前記第１芯金部が前記耳掛部材における前記第１長穴に、基端部側の内側面に設けられた前記第１開口部から先端部側に向けて挿入される。このとき、前記耳掛部材の先端部側が前記芯金部材の前記第２芯金部に支持される一方、前記耳掛部材の基端部側が前記芯金部材の前記第１芯金部に支持されるので、該耳掛部材が該芯金部材に簡単に取り付けられ得る。また、前記耳掛部材が前記芯金部材から取り外される際には、前記耳掛部材における前記第１長穴に挿入されている前記芯金部材における前記第１芯金部が前記第１開口部を介して基端部側に向けて引き抜かれ、該第１開口部から離脱されると共に、前記耳掛部材における前記第２長穴に挿入されている前記芯金部材における前記第２芯金部が前記第２開口部を介して基端部側に向けて引き抜かれ、該第２開口部から離脱される。こうして前記耳掛部材が前記芯金部材から簡単に取り外され得る。
【００１０】
このように本発明に係る眼鏡フレーム用テンプルによると、該テンプルを構成する前記耳掛部材が、同じく該テンプルを構成する前記芯金部材に対して簡単に取り付け、取り外しできるので、ユーザー自らが前記耳掛部材を取り替えることが可能となり、従って、テンプル全体を取り替える必要がないため、それだけコストを低く抑えることができる。これにより、取り替え作業に伴う眼鏡ユーザーの負担が少なく、ユーザー自らが手軽に且つ安価に取り替えを行うことができる。
【００１１】
なお、前記耳掛部材において、前記第１長穴が前記第１開口部から先端部側に向けて軸方向に延びるように深くなっており、前記第２長穴が前記第２開口部から先端部側に向けて軸方向に延びるように深くなっているが、これら第１及び第２長穴が互いに連通していてもよい。
【００１２】
本発明に係る眼鏡フレーム用テンプルにおいて、前記第１開口部及び前記第２開口部がいずれも軸方向に沿って長尺に形成されていて、前記連結部材が、一端部の内側で前記第１芯金部の一端部が先端部側を向くように該第１芯金部を基端部側で支持すると共に、他端部の内側で前記第２芯金部の一端部が先端部側を向くように該第２芯金部の他端部を基端部側で支持し、前記第１芯金部の先端部側端と前記連結部の先端部側端との距離をＡ、前記第１芯金部の先端部側端と前記第２芯金部の基端部側端との距離をＢ、前記第１開口部の先端部側端と前記第２開口部の先端部側端との距離をＡ’、前記第１開口部の先端部側端と前記第２開口部の基端部側端との距離をＢ’とすると、Ａ＜Ａ’、且つ、Ｂ≧Ｂ’＞Ｂ−（Ａ’−Ａ）の関係を満たすように構成されていてもよい。
【００１３】
この構成の眼鏡フレーム用テンプルでは、前記耳掛部材が前記芯金部材に取り付けられる際に、前記芯金部材における前記第２芯金部が前記耳掛部材における前記第２長穴に前記第２開口部から先端部側に向けて挿入され、該第２芯金部全体が該第２長穴に内挿される。このとき、少なくとも前記耳掛部材の前記第２開口部の基端部側端が前記第２芯金部の基端部側端位置に配置されると、前記第２開口部の先端部側において遊びができると共に、前記第１芯金部の先端部側端が前記第１開口部の先端部側端位置又は該第１開口部先端部側端位置より基端部側に配置されることになる。この状態から前記第１芯金部を前記第１長穴に挿入できるように前記耳掛部材を基端部側に向けて相対移動させると、該第１芯金部が該第１長穴に挿入される。こうすることで、前記耳掛部材が、先端部側で前記第２芯金部全体を内挿する一方、基端部側で前記第１芯金部を保持することができ、これにより前記耳掛部材が該芯金部材に簡単且つ確実に取り付けられ得る。また、前記耳掛部材が前記芯金部材から取り外される際に、前記耳掛部材を先端部側に向けて相対移動させると、前記第１長穴に挿入されている前記第１芯金部が前記第１開口部から外れ、さらに前記第２長穴に挿入されている前記第２芯金部が引き抜かれ、軸方向に沿って長尺の前記第２開口部から離脱することで、前記耳掛部材の前記芯金部材に対する取り外しがさらに簡単に行われ得る。
【００１４】
また、この場合、前記第２開口部の先端部側端と前記第１長穴の最深部との距離をＣとすると、Ｃ≦Ａの関係を満たすように構成することで、前記耳掛部材が前記芯金部材に取り付けられる際に、前記耳掛部材を基端部側に向けて相対移動させると、前記第２開口部の先端部側にできる空間を前記連結部材の先端部側部分で閉塞することができる。このとき、前記第２開口部の基端部側にできる空間は前記連結部によって隠蔽することができる。これにより、外観上の見栄えをよくすることができる。さらに、前記第１開口部が前記耳掛部材の基端部側端縁を含むように形成されていてもよい。こうすることで、前記耳掛部材を基端部側に向けて相対移動させる際に、該第１開口部が前記第１芯金部を前記第１長穴に向けて軸方向に沿って案内することができ、これにより前記第１芯金部を前記第１長穴に挿入し易くすることができる。この場合、前記第１開口部には、軸方向に沿って延び、前記第１長穴に連通すると共に、前記第１芯金部を前記第１長穴に向けて軸方向に沿って案内可能に係合する係合溝が形成されていてもよい。このように前記第１開口部に前記係合溝が形成されていると、前記耳掛部材を基端部側に向けて相対移動させる際に、前記第１芯金部が前記係合溝に係合した状態で、前記第１長穴に案内されるので、該第１芯金部を該第１長穴に確実に挿入することができる。
【００１５】
本発明に係る眼鏡フレーム用テンプルにおいて、眼鏡フレームを構成したときに、前記連結部が外方に湾曲するように形成されていてもよい。このように前記連結部が外方に湾曲するように形成されることで、眼鏡を装着した際に適度に左右テンプルの閉じる方向に力が加わり易く、安定した装着性を実現することができる。また、前記耳掛部材が先端部側において、ユーザーの耳の形状に沿うように形成された湾曲部を有している場合、該湾曲部では、湾曲の度合いによっては、前記第２芯金部を挿入し難いことがある。そこで、前記第２芯金部を前記湾曲部に届かない程度に短くするようにしてもよいし、前記第２芯金部を前記湾曲部に届かない程度に短くし、さらに前記第２芯金部より先端部側に前記第２芯金部とは別の芯金部材を設けるようにしてもよい。
【発明の効果】
【００１６】
以上説明したように本発明によると、取り替え作業に伴う眼鏡ユーザーの負担が少なく、ユーザー自らが手軽に且つ安価に取り替え可能である眼鏡フレーム用テンプルを提供することができる。
【発明を実施するための最良の形態】
【００１７】
以下、添付図面を参照しつつ、本発明の実施の形態について説明する。図１は本発明の実施形態に係る眼鏡フレーム用テンプルを備えた眼鏡フレームの概略構成を示す斜視図であり、図１（Ａ）に第１実施形態に係る眼鏡フレーム用テンプルであって、所謂プラスチックテンプルタイプの如く構成したテンプル２Ａを備えた眼鏡フレーム１０Ａを、図１（Ｂ）に第２実施形態に係る眼鏡フレーム用テンプルであって、所謂メタルテンプルタイプの如く構成したテンプル２Ｂを備えた眼鏡フレーム１０Ｂを示す。なお、図１において実質的に同様の構成、作用を有する部材には同じの参照符号を付してある。また、テンプル２Ａ，２Ｂにおいて、以下に記述する「基端部」とは眼鏡フレーム１０Ａ，１０Ｂを構成した場合の前枠１側の端部２ａをいい、「先端部」とは前記前枠側１とは反対側の端部２ｂをいう。
【００１８】
（第１実施形態）
図１（Ａ）に示すように、眼鏡フレーム１０Ａは、レンズを保持する前枠１と、該前枠１の両端からそれぞれ先端部２ｂ側に延出する左右一対のテンプル２Ａと、前枠１の両端部でテンプル２Ａを開閉させるための蝶番３とを具備するものである。
【００１９】
図２は図１（Ａ）に示すテンプル２Ａにおいて芯金部材１２０から耳掛部材１１０を取り外した状態の該耳掛部材１１０及び該芯金部材１２０を示す概略構成図であり、図２（Ａ）にその平面図を、図２（Ｂ）にその内側面図を、図２（Ｃ）にその外側面図を、また図２（Ｄ）にその底面図を示す。また、図３から図６は、ぞれぞれ図２（Ａ）から図２（Ｄ）に示す芯金部材１２０と耳掛部材１１０との取り付け部分の拡大図を示している。なお、図２から図６では左テンプルを示している。この左テンプルは右テンプルとは左右対称になっているだけで、該右テンプルと実質的に同様の構成をしており、ここでは、右テンプルについては図示を省略し、左テンプルに代表させて示している。後述する図８から図１５についても同様である。
【００２０】
テンプル２Ａは、本例では、所謂プラスチックテンプルタイプの如く構成されており、耳掛部材１１０と芯金部材１２０とを備えている。このテンプル２Ａにおいて、耳掛部材１１０は芯金部材１２０に対して着脱可能となっている。
【００２１】
耳掛部材１１０は、本例では、樹脂材料からなっており、先端部２ｂ側から蝶番３付近まで延びていて、基端部２ｂ側の内側面１１０ａには第１開口部１１１ａが、また第１開口部１１１ａに対して先端部２ｂ側に離間した位置の外側面１１０ｂには第２開口部１１２ａが配設されており、該第１及び第２開口部１１１ａ，１１２ａをそれぞれ含む第１及び第２長穴１１１，１１２が設けられている。
【００２２】
第１長穴１１１は、第１開口部１１１ａに連通し、該第１開口部１１１ａから内部に先端部２ｂ側に向けて軸方向（図中Ｘ方向）に延びるように形成されている。この第１長穴１１１の第１開口部１１１ａは、耳掛部材１１０の基端部２ａ側端縁１１０ｃを含むように、軸方向Ｘに沿って長尺に形成されている。
【００２３】
第１開口部１１１ａには、軸方向Ｘに沿って延び、第１長穴１１１に連通すると共に、後述する第１芯金部１２１を第１長穴１１１に向けて軸方向Ｘに沿って案内可能に係合する係合溝１１３が形成されている（図７参照）。なお、図７はテンプル２Ａにおける耳掛部材１１０の基端部側２ａ部分及び第１芯金部１２１の先端部２ｂ側部分を拡大した図を示している。後述する第２実施形態のテンプル２Ｂについても同様であり、同じ図で示している。
【００２４】
第２長穴１１２は、第２開口部１１２ａに連通し、該第２開口部１１２ａから内部に先端部２ｂ側に向けて軸方向Ｘに延びるように形成されている。この第２長穴１１２の第２開口部１１２ａは、軸方向Ｘに沿って長尺に形成されている。なお、第１及び第２長穴１１１ａ，１１２ａは、互いに連通していてもよい。
【００２５】
芯金部材１２０は、本例では、金属材料からなっており、第１長穴１１１に内挿される第１芯金部１２１と、第２長穴１１２に内挿される第２芯金部１２２と、第１芯金部１２１と第２芯金部１２２とを連結する連結部１２３とを備えている。第１芯金部１２１は、先端部２ｂ側が第１長穴１１１に挿入できるように、少なくとも先端部２ｂ側挿入部分の径が該第１長穴１１１の径より若干小さくなるように形成されている。第２芯金部１２２は、全体が第２長穴１１２に挿入できるように、全体の径が該第２長穴１１２の径より若干小さくなるように形成されている。
【００２６】
連結部材１２３は、一端部１２３ａの内側で第１芯金部１２１の一端部１２１ａが先端部２ｂ側を向くように該第１芯金部１２１の他端部１２１ｂを基端部２ａ側で支持すると共に、他端部１２３ｂの内側で第２芯金部１２２の一端部１２２ａが先端部２ｂ側を向くように該第２芯金部１２２の他端部１２２ｂを基端部２ａ側で支持している。
【００２７】
そして、第１芯金部１２１の先端部２ｂ側端１２１ａ’と連結部１２３の先端部２ｂ側端１２３ｂ’との距離をＡ、第１芯金部１２１の先端部２ｂ側端１２１ａ’と第２芯金部１２２の基端部２ａ側端１２２ｂ’との距離をＢ、第１開口部１１１ａの先端部２ｂ側端１１１ａ’と第２開口部１１２ａの先端部２ｂ側端１１２ａ’との距離をＡ’、第１開口部１１１ａの先端部２ｂ側端１１１ａ’と第２開口部１１２ａの基端部２ａ側端１１２ａ”との距離をＢ’とした場合、距離Ａ’が距離Ａより大きくなっていて、距離Ｂ’が距離Ｂに等しいか又は距離Ｂより小さくなっていないと、耳掛部材１１０の第２開口部１１２ａの基端部２ａ側端１１２ａ”が第２芯金部１２２の基端部２ａ側端１２２ｂ’位置に配置されたときに、第１芯金部１２１の先端部２ｂ側端１２１ａ’を第１開口部１１１ａの先端部２ｂ側端１１１ａ’位置又は該第１開口部１１１ａ先端部２ｂ側端１１１ａ’位置より基端部２ａ側に配置することができない。また距離Ｂ’は、距離Ｂから遊び（Ａ’−Ａ）を引いた距離より大きくなっていないと、第２芯金部１２２を第２長穴１１２に挿入した状態で第１芯金部１２１を第１長穴１１１に挿入することができない。従って、このテンプル２Ａでは、Ａ＜Ａ’、且つ、Ｂ≧Ｂ’＞Ｂ−（Ａ’−Ａ）の関係を満たしている。なお、本例では、第２開口部１１２ａの先端部２ｂ側端１１２ａ’と第１長穴１１１の最深部１１１ａ”との距離をＣとした場合、Ｃ≦Ａの関係も満たしている。
【００２８】
また、第１実施形態のテンプル２Ａにおいて、眼鏡フレーム１０Ａを構成したときに、第１芯金部１２１と第２芯金部１２２とを連結する連結部１２３が外方に湾曲するように形成されている。
【００２９】
なお、第１実施形態のテンプル２Ａでは、耳掛部材１１０が先端部２ｂ側において、ユーザーの耳の形状に沿うように形成された湾曲部２ｃを有している。この湾曲部２ｃでは、湾曲の度合いによっては、第２芯金部１２２を挿入し難いことがある。そこで、図８に示すように、第２芯金部１２２を湾曲部２ｃに届かない程度に短くし、さらに第２芯金部１２２より先端部２ｂ側に第２芯金部１２２とは別の芯金部材１２２’を設けるようにしてもよい。
【００３０】
（第２実施形態）
図１（Ｂ）に示すように、眼鏡フレーム１０Ｂは、レンズを保持する前枠１と、該前枠１の両端からそれぞれ先端部２ｂ側に延出する左右一対のテンプル２Ｂと、前枠１の両端部でテンプル２Ｂを開閉させるための蝶番３とを具備するものである。
【００３１】
図９は図１（Ｂ）に示すテンプル２Ｂにおいて芯金部材２２０から耳掛部材２１０を取り外した状態の該耳掛部材２１０及び該芯金部材２２０を示す概略構成図であり、図９（Ａ）にその平面図を、図９（Ｂ）にその内側面図を、図９（Ｃ）にその外側面図を、また図９（Ｄ）にその底面図を示す。また、図１０から図１３は、ぞれぞれ図９（Ａ）から図９（Ｄ）に示す芯金部材２２０と耳掛部材２１０との取り付け部分の拡大図を示している。
【００３２】
テンプル２Ｂは、本例では、所謂メタルテンプルタイプの如く構成されており、先セルを構成する耳掛部材（以下先セルということがある）２１０と芯金部材２２０とを備えている。このテンプル２Ｂにおいて、先セル２１０は芯金部材２２０に対して着脱可能となっている。
【００３３】
先セル２１０は、本例では、樹脂材料からなっており、基端部２ａ側の内側面２１０ａには第１開口部２１１ａが、また第１開口部２１１ａに対して先端部２ｂ側に離間した位置の外側面２１０ｂには第２開口部２１２ａが配設されており、該第１及び第２開口部２１１ａ，２１２ａをそれぞれ含む第１及び第２長穴２１１，２１２が設けられている。
【００３４】
第１長穴２１１は、第１開口部２１１ａに連通し、該第１開口部２１１ａから内部に先端部２ｂ側に向けて軸方向（図中Ｘ方向）に延びるように形成されている。この第１長穴２１１の第１開口部２１１ａは、先セル２１０の基端部２ａ側端縁２１０ｃを含むように、軸方向Ｘに沿って長尺に形成されている。
【００３５】
第１開口部２１１ａには、軸方向Ｘに沿って延び、第１長穴２１１に連通すると共に、後述する第１芯金部２２１を第１長穴２１１に向けて軸方向Ｘに沿って案内可能に係合する係合溝２１３が形成されている（図７参照）。
【００３６】
第２長穴２１２は、第２開口部２１２ａに連通し、該第２開口部２１２ａから内部に先端部２ｂ側に向けて軸方向Ｘに延びるように形成されている。この第２長穴２１２の第２開口部２１２ａは、軸方向Ｘに沿って長尺に形成されている。なお、第１及び第２長穴２１１ａ，２１２ａは、互いに連通していてもよい。
【００３７】
芯金部材２２０は、本例では、金属材料からなっており、第１長穴２１１に内挿される第１芯金部２２１と、第２長穴２１２に内挿される第２芯金部２２２と、第１芯金部２２１と第２芯金部２２２とを連結する連結部２２３とを備えている。第１芯金部２２１は、先端部２ｂ側が第１長穴２１１に挿入できるように、少なくとも先端部２ｂ側挿入部分の径が該第１長穴２１１の径より若干小さくなるように形成されている。第２芯金部２２２は、全体が第２長穴２１２に挿入できるように、全体の径が該第２長穴２１２の径より若干小さくなるように形成されている。
【００３８】
連結部材２２３は、一端部２２３ａの内側で第１芯金部２２１の一端部２２１ａが先端部２ｂ側を向くように該第１芯金部２２１を基端部２ａ側で支持すると共に、他端部２２３ｂの内側で第２芯金部２２２の一端部２２２ａが先端部２ｂ側を向くように該第２芯金部２２２の他端部２２２ｂを基端部２ａ側で支持している。
【００３９】
そして、第１芯金部２２１の先端部２ｂ側端２２１ａ’と連結部２２３の先端部２ｂ側端２２３ｂ’との距離をＡ、第１芯金部２２１の先端部２ｂ側端２２１ａ’と第２芯金部２２２の基端部２ａ側端２２２ｂ’との距離をＢ、第１開口部２１１ａの先端部２ｂ側端２１１ａ’と第２開口部２１２ａの先端部２ｂ側端２１２ａ’との距離をＡ’、第１開口部２１１ａの先端部２ｂ側端２１１ａ’と第２開口部２１２ａの基端部２ａ側端２１２ａ”との距離をＢ’とした場合、距離Ａ’が距離Ａより大きくなっていて、距離Ｂ’が距離Ｂに等しいか又は距離Ｂより小さくなっていないと、耳掛部材２１０の第２開口部２１２ａの基端部２ａ側端２１２ａ”が第２芯金部２２２の基端部２ａ側端２２２ｂ’位置に配置されたときに、第１芯金部２２１の先端部２ｂ側端２２１ａ’を第１開口部２１１ａの先端部２ｂ側端２１１ａ’位置又は該第１開口部２１１ａ先端部２ｂ側端２１１ａ’位置より基端部２ａ側に配置することができない。また距離Ｂ’は、距離Ｂから遊び（Ａ’−Ａ）を引いた距離より大きくなっていないと、第２芯金部２２２を第２長穴２１２に挿入した状態で第１芯金部２２１を第１長穴２１１に挿入することができない。従って、このテンプル２Ｂでは、Ａ＜Ａ’、且つ、Ｂ≧Ｂ’＞Ｂ−（Ａ’−Ａ）の関係を満たしている。なお、本例では、第２開口部２１２ａの先端部２ｂ側端２１２ａ’と第１長穴２１１の最深部２１１ａ”との距離をＣとした場合、Ｃ≦Ａの関係も満たしている。
【００４０】
また、第２実施形態のテンプル２Ｂにおいて、眼鏡フレーム１０Ｂを構成したときに、第１芯金部２２１と第２芯金部２２２とを連結する連結部２２３が外方に湾曲するように形成されている。
【００４１】
また、第１及び第２実施形態のテンプル２Ａ，２Ｂにおける耳掛部材１１０，２１０には図１６に示すような耳当て部材４３が設けられていてもよい。
【００４２】
図１６は図１（Ａ）及び図１（Ｂ）に示すテンプル２Ａ，２Ｂにおける耳掛部材１１０，２１０の先端部２ｂ側部分を拡大した概略側面図である。
【００４３】
図１６に示すように、耳掛部材１１０，２１０の先端部２ｂ側には、耳の裏側に当接可能な耳当て部材４３が着脱可能に設けられている。さらに説明すると、耳掛部材１１０，２１０には、耳当接側部分の幅方向両端部において耳当接側に延びる左右一対の支持部４４が設けられており、該左右一対の支持部４４には、耳当て部材４３をビス８により固定するためのビス穴４４ａがそれぞれ形成されている。
【００４４】
耳当て部材４３には、軸方向Ｘの略中央部において耳当接側とは反対側から延設される延設部４３ａが設けられている。この延設部４３ａには、前記ビス８が貫通する貫通孔が形成されている。これにより、ビス８を延設部４３ａの前記貫通孔を通して支持部４４のビス穴４４ａに取り付けることで、耳当て部材４３を先セル１１０，２１０に着脱可能に固着することができる。
【００４５】
また、第１及び第２実施形態のテンプル２Ａ，２Ｂでは、スポーツ等の激しい運動を行う際に適用できる耳掛部材１１０，２１０として、例えば、図１７に示すような耳掛部材及び図１８に示すような耳掛部材にも容易に取り替えることができる。
【００４６】
図１７に示すテンプル２Ａ，２Ｂは、耳の裏側に当接可能な耳当接部２３ａ及びテンプル本体の後部と該耳当接部２３ａとを揺動可能に取り付けるためのピン又はネジ等の軸部材７が取り付けられた揺動部２３ｂを有する耳当て部材２３と、テンプル本体の耳当て部材２３が取り付けられた部位２２ａより基端部２ａ側にある所定部２２ｂと耳当接部２３ａの基端部２ａ側端部２３ｃとを連結する可撓性の絡み防止部材４とを具備している。
【００４７】
このテンプル２Ａ，２Ｂが取り付けられた眼鏡フレームでは、前枠１に取り付けられた鼻当て用のパッド６（図１参照）を鼻に掛けるとともに、湾曲した耳当て部材２３の耳当接部２３ａを耳の裏側（耳と頭との間）の湾曲部に掛けることによって着用される。
【００４８】
この眼鏡フレームにおいては、眼鏡を掛けた状態で、前枠１がずれ落ちようとすると、前枠１から延出されたテンプル２Ａ，２Ｂの後部はずれ上がろうとし、テンプル本体の後部に取り付けられた耳当て部材２３の耳当接部２３ａを上方へ移動させようとする。そして、耳当て部材２３の耳当接部２３ａが上方へ移動しようとすると、耳当て部材２３のテンプル本体に取り付けられる部位である揺動部２３ｂ（テンプル本体の耳当て部材２３が取り付けられる部位２２ａ）に挿通された軸部材７を中心として耳当接部２３ａは、図１７において左回りへ回転しようとする。このとき、耳当接部２３ａの基端部２ａ側端部２３ｃが耳の裏側を押圧する力が大きくなり、その結果、耳当接部２３ａと耳の裏側との相対的な移動が阻止され、テンプル２Ａ，２Ｂの後部のずれ上がりが阻止される。このようにして、眼鏡のずれ落ちを防止することができる。
【００４９】
また、耳当接部２３ａの長手方向の略中間部に揺動部２３ｂが設けられるように構成されており、耳当て部材２３のテンプル本体に取り付けられる部位である揺動部２３ｂ及びテンプル本体の耳当て部材２３が取り付けられる部位２２ａには、揺動部２３ｂの揺動範囲を規制する規制機構１８が設けられるように構成されるとともに、テンプル本体と耳当て部材２３の揺動部２３ｂとの取り付けには、ピン又はねじ等の軸部材７が用いられるように構成される。規制機構１８は、テンプル本体の耳当て部材が取り付けられる部位２２ａに設けられた当接面２８に耳当て部材２３の揺動部２３ｂの支持片３８が当接することにより揺動を規制する構成となっている。
【００５０】
このような規制機構１８を設けることにより、耳当て部材２３の揺動範囲が規制されるため、使用者が眼鏡を掛ける際に、耳の裏側の適所に耳当て部材２３の耳当接部２３ａを容易に当接させることができ、使用者の眼鏡の着用をより容易にすることができる。また、軸部材７を介して耳当て部材２３がテンプル本体の取り付け部位２２ａに取り付けられる構成であるため、力の損失が少なく、スムーズな揺動を容易かつ安価に達成することができる。また、軸部材７の軸回りに規制機構１８を設けることにより、規制機構１８を容易に構成することができる。なお、耳当て部材２３に取り付けられた揺動部２３ｂが軸部材７に揺動可能に取り付けられているが、耳当て部材２３自体（耳当接部２３ａ）に孔を開けて軸部材７を介して耳当て部材２３がテンプル本体に対して揺動可能に取り付けてもよい。また、テンプル本体の耳当て部材２３が取り付けられた部位２２ａは、テンプル２Ａ，２Ｂの先端部２ｂであるように構成される。この場合、眼鏡フレームのテンプル２Ａ，２Ｂと耳当て部材２３とが一体ではない構造を有しているにも関わらず、一般的な形状の眼鏡フレームを用いてきた使用者であっても違和感なく着用することができる。
【００５１】
また、図１７に示すように、可撓性の絡み防止部材４がテンプル本体の耳当て部材２３が取り付けられた部位２２ａより基端部２ａ側にある所定部２２ｂと耳当て部材２３の耳当接部２３ａの基端部２ａ側端部２３ｃとを連結するように取り付けられている。こうすることで、眼鏡を外す際に、テンプル２Ａ，２Ｂを上方へ持ち上げた場合であっても、テンプル本体と耳当接部２３ａの基端部２ａ側端部２３ｃとの間が絡み防止部材４で塞がれているため、髪の毛がｚ方向からテンプル本体と耳当接部２３ａとの取り付け部分（揺動部２３ｂ）に入り込みにくく、これに絡まることが抑制される。また、絡み防止部材４は、可撓性を有しているため、眼鏡フレームのずれ落ち抑制の機能を阻害することもない。このように、可撓性の絡み防止部材４によってテンプル本体の耳当て部材２３が取り付けられた部位２２ａより基端部２ａ側にある所定部２２ｂと耳当接部２３ａの基端部２ａ側端部２３ｃとを連結することにより、鼻に掛かる負担を大きくすることなく眼鏡のずれ落ちを防止できるとともに、眼鏡を外す際に髪の毛の眼鏡への絡みを抑制することができる。
【００５２】
図１８に示すテンプル２Ａ，２Ｂは、眼鏡取り付け具３０を具備しているものである。この眼鏡取り付け具３０は、眼鏡フレームに着脱可能な眼鏡取り付け具であって、図１に示すようなテンプル２Ａ，２Ｂの先端部２ｂ側所定部位２０ａに着脱可能なクリップ部３０ｄと、耳の裏側に当接可能な耳当接部３０ａと、クリップ部３０ｄと耳当接部３０ａとを揺動可能に取り付けるためのピン又はねじ等の軸部材７が取り付けられた揺動部３０ｂとを具備するものである。また、クリップ部３０ｄと耳当接部３０ａとは、揺動部３０ｂにより、ピン又はねじ等の軸部材７を用いて揺動可能に取り付けられる。これにより、テンプル２Ａ，２Ｂと眼鏡取り付け具３０の耳当接部３０ａとは、揺動可能に取り付けられる。また、テンプル２Ａ，２Ｂが先端部２ｂに向けて次第に分厚くなるような形状の場合は、クリップ部３０ｄの内径に所定の余裕を持たせてもクリップ部３０ｄがテンプル２Ａ，２Ｂの先端部２ｂ側から抜け落ちることを防止することができる。
【００５３】
また、図１８に示すように、一端が耳当接部３０ａの基端部２ａ側端部３０ｃに連結され、他端がテンプル２Ａ，２Ｂのクリップ部３０ｄが取り付けられた部位２０ａより基端部２ａ側にある所定部２０ｂに着脱可能な可撓性の絡み防止部材４をさらに具備するように構成されている。この可撓性の絡み防止部材４によってテンプル２Ａ，２Ｂのクリップ部３０ｄが取り付けられた部位２０ａより基端部２ａ側にある所定部２０ｂと眼鏡取り付け具３０の耳当接部３０ａの基端部２ａ側端部３０ｃとを連結することにより、鼻に掛かる負担を大きくすることなく眼鏡のずれ落ちを防止できるとともに、眼鏡を外す際に髪の毛の眼鏡への絡みを抑制することができる。さらに、絡み防止部材４の他端をテンプル２Ａ，２Ｂに着脱可能に取り付けるための構成として、図１８（ａ）に示すような、可撓性部材で形成されたクリップ部４ａを用いている。
【００５４】
以上説明した眼鏡フレーム用テンプル２Ａ，２Ｂでは、耳掛部材１１０，２１０が芯金部材１２０，２２０に取り付けられる際には、芯金部材１２０，２２０における第２芯金部１２２，２２２が耳掛部材１１０，２１０における第２長穴１１２，２１２に、第１開口部１１１ａ，２１１ａに対して先端部２ｂ側に離間した位置の外側面１１０ｂ、２１０ｂに設けられた第２開口部１１２ａ，２１２ａから先端部２ｂ側に向けて挿入されると共に、芯金部材１２０，２２０における第１芯金部１２１，２２１が耳掛部材１１０，２１０における第１長穴１１１，２１１に、基端部２ａ側の内側面１１０ａ，２１０ａに設けられた第１開口部１１１ａ，２１１ａから先端部２ｂ側に向けて挿入される。このとき、耳掛部材１１０，２１０の先端部２ｂ側が芯金部材１２０，２２０の第２芯金部１２２，２２２に支持される一方、耳掛部材１１０，２１０の基端部２ａ側が芯金部材１２０，２２０の第１芯金部１２１，２２１に支持されるので、該耳掛部材１１０，２１０が該芯金部材１２０，２２０に簡単に取り付けられ得る。また、耳掛部材１１０，２１０が芯金部材１２０，２２０から取り外される際には、耳掛部材１１０，２１０における第１長穴１１１，２１１に挿入されている芯金部材１２０，２２０における第１芯金部１２１，２２１が第１開口部１１１ａ，２１１ａを介して基端部２ａ側に向けて引き抜かれ、該第１開口部１１１ａ，２１１ａから離脱されると共に、耳掛部材１１０，２１０における第２長穴１１２，２１２に挿入されている芯金部材１２０，２２０における第２芯金部１２２，２２２が第２開口部１１２ａ，２１２ａを介して基端部２ａ側に向けて引き抜かれ、該第２開口部１１２ａ，２１２ａから離脱される。こうして耳掛部材１１０，２１０が芯金部材１２０，２２０から簡単に取り外され得る。
【００５５】
このように眼鏡フレーム用テンプル２Ａ，２Ｂによると、該テンプル２Ａ，２Ｂを構成する耳掛部材１１０，２１０が、同じく該テンプル２Ａ，２Ｂを構成する芯金部材１２０，２２０に対して簡単に取り付け、取り外しできるので、ユーザー自らが耳掛部材１１０，２１０を取り替えることが可能となり、従って、テンプル全体を取り替える必要がないため、それだけコストを低く抑えることができる。これにより、取り替え作業に伴う眼鏡ユーザーの負担が少なく、ユーザー自らが手軽に且つ安価に取り替えを行うことができる。
【００５６】
また、第１開口部１１１ａ，２１１ａ及び第２開口部１１２ａ，２１２ａがいずれも軸方向Ｘに沿って長尺に形成されていて、連結部材１２３，２２３が、一端部１２３ａ，２２３ａの内側で第１芯金部１２１，２２１の一端部１２１ａ，２２１ａが先端部２ｂ側を向くように該第１芯金部１２１，２２１を基端部２ａ側で支持すると共に、他端部１２３ｂ，２２３ｂの内側で第２芯金部１２２，２２２の一端部１２２ａ，２２２ａが先端部２ｂ側を向くように該第２芯金部１２２，２２２の他端部１２２ｂ，２２２ｂを基端部２ａ側で支持し、Ａ＜Ａ’、且つ、Ｂ≧Ｂ’＞Ｂ−（Ａ’−Ａ）の関係を満たすように構成されているので、図１４（Ａ）及び図１５（Ａ）に示すように、耳掛部材１１０，２１０が芯金部材１２０，２２０に取り付けられる際に、芯金部材１２０，２２０における第２芯金部１２２，２２２が耳掛部材１１０，２１０における第２長穴１１２，２１２に第２開口部１１２ａ，２１２ａから先端部２ｂ側に向けて挿入され、該第２芯金部１２２，２２２全体が該第２長穴１１２，２１２に内挿され、このとき、少なくとも耳掛部材１１０，２１０の第２開口部１１２ａ，２１２ａの基端部２ａ側端１１２ａ”，２１２ａ”が第２芯金部１２２，２２２の基端部２ａ側端１２２ｂ’，２２２ｂ’位置に配置されると、第２開口部１１２ａ，２１２ａの先端部２ｂ側において遊びＰができると共に、第１芯金部１２１，２２１の先端部２ｂ側端１２１ａ’，２２１ａ’が第１開口部１１１ａ，２１１ａの先端部２ｂ側端１１１ａ’，２１１ａ’位置又は該第１開口部１１１ａ，２１１ａ先端部２ｂ側端１１１ａ’，２１１ａ’位置より基端部２ａ側に配置されることになり、この状態から第１芯金部１２１，２２１を第１長穴１１１，２１１に挿入できるように耳掛部材１１０，２１０を基端部２ａ側に向けて相対移動させると、図１４（Ｂ）及び図１５（Ｂ）に示すように、該第１芯金部１２１，２２１が該第１長穴１１１，２１１に挿入され、そうすると、耳掛部材１１０，２１０が、先端部２ｂ側で第２芯金部１２２，２２２全体を内挿する一方、基端部２ａ側で第１芯金部１２１，２２１を保持することができ、これにより耳掛部材１１０，２１０が該芯金部材１２０，２２０に簡単且つ確実に取り付けられ得る。また、耳掛部材１２０，２２０が芯金部材１２０，２２０から取り外される際に、耳掛部材１２０，２２０を先端部２ｂ側に向けて相対移動させると、第１長穴１１１，２１１に挿入されている第１芯金部１２１，２２１が第１開口部１１１ａ，２１１ａから外れ、さらに第２長穴１１２，２１２に挿入されている第２芯金部１２２，２２２が引き抜かれ、軸方向Ｘに沿って長尺の第２開口部１１２ａ，２１２ａから離脱することで、耳掛部材１２０，２２０の芯金部材１２０，２２０に対する取り外しがさらに簡単に行われ得る。
【００５７】
また、Ｃ≦Ａの関係を満たすように構成されているので、耳掛部材１２０，２２０が芯金部材１２０，２２０に取り付けられる際に、耳掛部材１２０，２２０を基端部２ａ側に向けて相対移動させると、第２開口部１１２ａ，２１２ａの先端部２ｂ側にできる遊びＰを連結部材１２３，２２３の先端部２ｂ側部分で閉塞することができ、このとき、第２開口部１１２ａ，２１２ａの基端部２ａ側にできる空間Ｐ’は連結部１２３，２２３によって隠蔽することができる。これにより、外観上の見栄えをよくすることができる。さらに、第１開口部１１１ａ，２１１ａが耳掛部材１２０，２２０の基端部２ａ側端縁１１０ｃ，２１０ｃを含むように形成されているので、図７に示すように、耳掛部材１２０，２２０を基端部２ａ側に向けて相対移動させる際に、該第１開口部１１１ａ，２１１ａが第１芯金部１２１，２２１を第１長穴１１１，２１１に向けて軸方向Ｘに沿って案内することができ、これにより第１芯金部１２１，２２１を第１長穴１１１，２１１に挿入し易くすることができる。さらに、第１開口部１１１ａ，２１１ａには、軸方向Ｘに沿って延び、第１長穴１１１，２１１に連通すると共に、第１芯金部１２１，２２１を第１長穴１１１，２１１に向けて軸方向Ｘに沿って案内可能に係合する係合溝１１３，２１３が形成されているので、耳掛部材１２０，２２０を基端部２ａ側に向けて相対移動させる際に、第１芯金部１２１，２２１が係合溝１１３，２１３に係合した状態で、第１長穴１１１，２１１に案内され、これにより該第１芯金部１２１，２２１を該第１長穴１１１，２１１に確実に挿入することができる。
【００５８】
また、眼鏡フレーム１０Ａ，１０Ｂを構成したときに、連結部１２３，２２３が外方に湾曲するように形成されているので、眼鏡を装着した際に適度に左右テンプル２Ａ，２Ｂの閉じる方向に力が加わり易く、安定した装着性を実現することができる。
【図面の簡単な説明】
【００５９】
【図１】図１は、本発明の実施形態に係る眼鏡フレーム用テンプルを備えた眼鏡フレームの概略構成を示す斜視図であり、図１（Ａ）に第１実施形態に係る眼鏡フレーム用テンプルであって、所謂プラスチックテンプルタイプの如く構成したテンプルを備えた眼鏡フレームを、図１（Ｂ）に第２実施形態に係る眼鏡フレーム用テンプルであって、所謂メタルテンプルタイプの如く構成したテンプルを備えた眼鏡フレームを示す。
【図２】図２は、図１（Ａ）に示すテンプルにおいて芯金部材から耳掛部材を取り外した状態の該耳掛部材及び該芯金部材を示す概略構成図であり、図２（Ａ）にその平面図を、図２（Ｂ）にその内側面図を、図２（Ｃ）にその外側面図を、また図２（Ｄ）にその底面図を示す。
【図３】図３は、図２（Ａ）に示す芯金部材と耳掛部材との取り付け部分を示す拡大平面図である。
【図４】図４は、図２（Ｂ）に示す芯金部材と耳掛部材との取り付け部分を示す拡大内側面図である。
【図５】図５は、図２（Ｃ）に示す芯金部材と耳掛部材との取り付け部分を示す拡大外側面図である。
【図６】図６は、図２（Ｄ）に示す芯金部材と耳掛部材との取り付け部分を示す拡大底面図である。
【図７】図７は、図１（Ａ）及び図１（Ｂ）に示すテンプルにおける耳掛部材の基端部側部分及び第１芯金部の先端部側部分を拡大した概略斜視図を示す。
【図８】図８は、図１（Ａ）に示すテンプルにおいて、第１芯金部を湾曲部に届かない程度に短くし、さらに第１芯金部より先端部側に第１芯金部とは別の芯金部材を設けるように構成した一例を示す概略平面図である。
【図９】図９は、図１（Ｂ）に示すテンプルにおいて芯金部材から耳掛部材を取り外した状態の該耳掛部材及び該芯金部材を示す概略構成図であり、図９（Ａ）にその平面図を、図９（Ｂ）にその内側面図を、図９（Ｃ）にその外側面図を、また図９（Ｄ）にその底面図を示す。
【図１０】図１０は、図９（Ａ）に示す芯金部材と耳掛部材との取り付け部分を示す拡大平面図である。
【図１１】図１１は、図９（Ｂ）に示す芯金部材と耳掛部材との取り付け部分を示す拡大内側面図である。
【図１２】図１２は、図９（Ｃ）に示す芯金部材と耳掛部材との取り付け部分を示す拡大外側面図である。
【図１３】図１３は、図９（Ｄ）に示す芯金部材と耳掛部材との取り付け部分を示す拡大底面図である。
【図１４】図１４は、第１実施形態に係る眼鏡フレーム用テンプルにおける芯金部材及び耳掛部材の取り付け状態を説明するための図であり、図１４（Ａ）に耳掛部材の第２開口部の先端部側において遊びができている状態を、図１４（Ｂ）に遊びが隠蔽されている状態を示す。
【図１５】図１５は、第２実施形態に係る眼鏡フレーム用テンプルにおける芯金部材及び耳掛部材の取り付け状態を説明するための図であり、図１５（Ａ）に耳掛部材の第２開口部の先端部側において遊びができている状態を、図１５（Ｂ）に遊びが隠蔽されている状態を示す。
【図１６】図１６は、図１（Ａ）及び図１（Ｂ）に示すテンプルにおける耳掛部材の先端部側部分を拡大した概略側面図である。
【図１７】図１７は、図１（Ａ）及び図１（Ｂ）に示すテンプルのさらに他の例を示す図であって、該テンプルにおける耳掛部材の先端部側部分を拡大した概略側面図である。
【図１８】図１８は、図１７に示すテンプルの変形例を示す概略側面図であり、図１８（Ａ）に眼鏡取り付け具を、図１８（Ｂ）にそれを装着したテンプルを示す。
【符号の説明】
【００６０】
２ａ…基端部  ２ｂ…先端部  ２Ａ，２Ｂ…眼鏡フレーム用テンプル  
１０Ａ，１０Ｂ…眼鏡フレーム  １１０…耳掛部材  ２１０…耳掛部材（先セル）  
１１０ａ，２２０ａ…内側面  １１０ｂ，２１０ｂ…外側面  
１１１，２１１…第１長穴  １１１ａ，２１１ａ…第１開口部  
１１１ａ’，２１１ａ’…第１開口部の先端部側端  １１２，２１２…第２長穴  
１１２ａ，２１２ａ…第２開口部  １１２ａ’，２１２ａ’…第２開口部の先端部側端  
１１２ａ”，２１２ａ”…第２開口部の基端部側端  １２０，２２０…芯金部材  
１２１，２２１…第１芯金部  １２１ａ，２２１ａ…第１芯金部の一端部  
１２１ａ’，２２１ａ’…第１芯金部の先端部側端  
１２１ｂ、２２１ｂ…第１芯金部の他端部  １２２，２２２…第２芯金部  
１２２ａ，２２２ａ…第２芯金部の一端部  １２２ｂ，２２２ｂ…第２芯金部の他端部  
１２２ｂ’，２２２ｂ’…第２芯金部の基端部側端  １２３，２２３…連結部  
１２３ａ，２２３ａ…連結部材の一端部  １２３ｂ，２２３ｂ…連結部材の他端部  
１２３ｂ’，２２３ｂ’…連結部の先端部側端  Ｘ…軸方向  
【図１】
2006126442.tif 000003
【図２】
2006126442.tif 000004
【図３】
2006126442.tif 000005
【図４】
2006126442.tif 000006
【図５】
2006126442.tif 000007
【図６】
2006126442.tif 000008
【図７】
2006126442.tif 000009
【図８】
2006126442.tif 000010
【図９】
2006126442.tif 000011
【図１０】
2006126442.tif 000012
【図１１】
2006126442.tif 000013
【図１２】
2006126442.tif 000014
【図１３】
2006126442.tif 000015
【図１４】
2006126442.tif 000016
【図１５】
2006126442.tif 000017
【図１６】
2006126442.tif 000018
【図１７】
2006126442.tif 000019
【図１８】
2006126442.tif 000020